(57)【要約】【課題】吸い込み式の掃除以外にブロアー機能を付加させたアップライト型電気掃除機を提供すること。【解決手段】吸込体１の吸込口１２に連通する第１吸気用ホース接手１３と、集塵装置２１の入口３３側に連通する第２吸気用ホース接手２３との間に吸気ホース５を接続する。吸気ホース５を第１吸気用ホース接手１３及び第２吸気用ホース接手２３に対しそれぞれ着脱自在に接続する。掃除機本体２における吸引ファンの吹出側に連通する第１還流用ホース接手４４と、吸込体１の吸込口１２に連通す第２還流用ホース接手１４との間に還流ホース６を接続する。吸気ホース５の第２吸気用ホース接手２３に接続される側の端部を第１還流用ホース接手４４に接続可能に構成する。還流ホース６と第１還流用ホース接手４４との接続を着脱自在にする。【選択図】          図１４
2005006682.tif 000002
【特許請求の範囲】
【請求項１】
吸込口から空気と共に塵埃を吸入する吸込体と、吸込体から搬送されてきた空気中の塵埃を集塵装置で除去し、集塵装置で塵埃が除去された空気を吸引ファンで吸引して排気口に送るようにした掃除機本体と、吸込体の吸込口に連通するように吸込体に設けられた第１吸気用ホース接手と、集塵装置の入口側に連通するように掃除機本体に設けられた第２吸気用ホース接手と、第１吸気用ホース接手と第２吸気用ホース接手との間に接続される吸気ホースと、掃除機本体の吸引ファンの吹出側に連通するように掃除機本体に設けられた第１還流用ホース接手と、吸込体の吸込口に連通するように吸込体に設けられた第２還流用ホース接手と、第１還流用ホース接手と第２還流用ホース接手との間に接続される還流ホースとを備え、
吸気ホースは、第１及び第２吸気用ホース接手に対しそれぞれ着脱自在に接続されるとともに第２吸気用ホース接手に接続される側の端部は第１還流用ホース接手に接続可能に構成され、
さらに、還流ホースは、少なくとも第１還流用ホース接手に着脱自在に接続されていることを特徴とするアップライト型電気掃除機。
【請求項２】
第１還流用ホース接手は、掃除機本体の一側面に設けられたＬ字形接手であって、掃除機本体の側面から導出される直管部分がその管軸を中心に回動可能に構成されていることを特徴とする請求項１記載のアップライト型電気掃除機。
【請求項３】
掃除機本体は吸込体に対し傾動可能に構成されていることを特徴とする請求項２記載のアップライト型電気掃除機。
【請求項４】
掃除機本体の一側において、第１吸気用ホース接手が吸込体の後方に設けられ、
一方、掃除機本体の他側において、第２吸気用ホース接手が掃除機本体の上方部に設けられ、また、第１還流用ホース接手及び吸気ホースの中間部を固定するホース固定具が掃除機本体の下部に設けられ、さらに、第２還流用ホース接手が吸込体の後方部に設けられていることを特徴とする請求項１〜３の何れか１項記載のアップライト型電気掃除機。
【請求項５】
掃除機本体の上部に操作用ハンドルを設け、操作用ハンドルの下端部後方側に吸気ホースを引っ掛けて固定するホースフックを設け、このホースフックにより第１吸気用ホース接手とホース固定具との間に位置する吸気ホースを固定可能にしたことを特徴とする請求項４記載のアップライト型電気掃除機。
【請求項６】
集塵装置はサイクロン式集塵装置であることを特徴とする請求項４又は５記載のアップライト型電気掃除機。
【請求項７】
掃除機本体の上部後面側に集塵装置を設け、集塵装置の後流側となる集塵装置の下部に吸引ファンを収納し、集塵装置の前面部に排気口を設けるとともに、第１還流用ホース接手を吸引ファンの吹出側に連通するように構成したことを特徴とする請求項１〜６の何れか１項に記載のアップライト型電気掃除機。
【請求項８】
掃除機本体の側部に、吸気ホースに接続可能に形成されたアタッチメントを装着したことを特徴とする請求項１〜７の何れか１項に記載のアップライト型電気掃除機。
【発明の詳細な説明】
【０００１】
【発明の属する技術分野】
本発明は、アップライト型電気掃除機に関し、特に吸込体と集塵装置とを接続する吸気ホースを吸込体から取り外し可能とし、吸込体から取り外した吸気ホースの先端部に付属品のアタッチメントを取り付け、アタッチメントを使用した掃除を行えるようにしたアップライト型電気掃除機に関する。
【０００２】
【従来の技術】
この種のアップライト型電気掃除機として、例えば、特許文献１に記載のものがある。
このアップライト型電気掃除機では、吸込体に対し掃除機本体が傾動可能に取り付けられ、掃除機本体の上部に集塵装置が設けられている。また、集塵装置の入口側に連通する吸気口が掃除機本体の背面上方部に設けられ、この吸気口と吸込体の吸込口との間に吸気ホースが接続されている。なお、吸気ホースは吸込体の吸込口に対し取り外し可能に接続されている。そして、吸気ホースの吸込体側端部を吸込体の吸込口から取り外し、この端部に付属のアタッチメント、例えば延長パイプやブラシを取り付け、掃除機本体を立てた状態で、吸気ホースの先端部を所定位置に移動させて所定の吸込み式の掃除を行うようにしている。
【０００３】
【特許文献１】
特開２００１−７８９２８号公報
【０００４】
【発明が解決しようとする課題】
このように従来のアップライト型電気掃除機では、吸気ホースと吸込体との接続を取り外し、吸気ホースにアタッチメントを接続して掃除を行えるようにしたものがある。しかし、家屋の洋風化等に伴い。通常の吸い込み式の掃除以外にブロアーによる掃除を可能としたものが求められるようになってきている。
【０００５】
本発明は、このような課題を解決するためになされたものであり、吸い込み式の掃除以外にブロアー機能を付加させたアップライト型電気掃除機を提供することを目的とする。
【０００６】
【課題を解決するための手段】
上記課題を解決するために、本発明は、吸込口から空気と共に塵埃を吸入する吸込体と、吸込体から搬送されてきた空気中の塵埃を集塵装置で除去し、集塵装置で塵埃が除去された空気を吸引ファンで吸引して排気口に送るようにした掃除機本体と、吸込体の吸込口に連通するように吸込体に設けられた第１吸気用ホース接手と、集塵装置の入口側に連通するように掃除機本体に設けられた第２吸気用ホース接手と、第１吸気用ホース接手と第２吸気用ホース接手との間に接続される吸気ホースと、掃除機本体の吸引ファンの吹出側に連通するように掃除機本体に設けられた第１還流用ホース接手と、吸込体の吸込口に連通するように吸込体に設けられた第２還流用ホース接手と、第１還流用ホース接手と第２還流用ホース接手との間に接続される還流ホースとを備え、吸気ホースは、第１及び第２吸気用ホース接手に対しそれぞれ着脱自在に接続されるとともに第２吸気用ホース接手に接続される側の端部は第１還流用ホース接手に接続可能に構成され、さらに、還流ホースは、少なくとも第１還流用ホース接手に着脱自在に接続されていることを特徴とする。
【０００７】
このように構成すると、吸気ホースを第１及び第２吸気用ホース接手から取り外し、また、還流ホースを第１還流用ホース接手から取り外し、吸気ホースの第２吸気用ホース接手側の端部を第１還流用ホース接手に接続し、吸気ホースの第１吸気用ホース接手側の端部にアタッチメントを取り付けるようにすることができる。そして、このようにホースの接続を変更することにより、ホースの接続が行われていない第２吸気用ホース接手から室内空気が吸い込まれ、集塵装置で空気中の塵埃が除去される。また、集塵装置で塵埃が除去されて排気される空気の内の一部の空気は排気口から排気され、残部の空気は第２還流用ホース接手から送出され吸気ホースを通ってアタッチメントから吹き出される。このようにしてブロアー機能が可能にされている。
また、還流ホースを第１還流用ホース接手及び第２還流用ホース接手に取り付けたままとし、吸気ホースを第１吸気用ホース接手から取り外し、この端部にアタッチメントを取り付けると、アタッチメントから空気とともに塵埃を吸い込む掃除が可能になる。
【０００８】
また、第１還流用ホース接手を、掃除機本体の一側面に設けられたＬ字形接手とするとともに、この側面から導出される直管部分の管軸を中心に回動可能に構成してもよい。
このように構成すると、第１還流用ホース接手４４に接続されるホースの向きを変更させることができる。したがって、吸気ホース５や還流ホース６の接続変更作業を容易に行うことができる。
【０００９】
また、第１還流用ホース接手がこのように回動可能とされたアップライト型電気掃除機において、掃除機本体を吸込体に対し傾動可能に構成してもよい。
前述のようにこのように構成すると、還流ホースが無理に曲げられることがなくなり、還流ホースの通風抵抗の増加を回避することができる。
【００１０】
また、掃除機本体の一側において、吸込体の後方に第１吸気用ホース接手を設ける一方、掃除機本体の他側において、掃除機本体の上方部に第２吸気用ホース接手を設け、掃除機本体の下部に第１還流用ホース接手及び吸気ホースの中間部を固定するホース固定具を設け、吸込体の後方部に第２還流用ホース接手を設けるようにしてもよい。
このようにすると、吸気ホースを第１吸気用ホース接手から一端上方に立ち上げ、その後に吸気ホースを掃除機本体の反対側の側方に回して下方に引き下げ、引き下げた吸気ホースの下方部をホース固定具により掃除機本体に固定し、さらに、吸気ホースの先端部をＵターンさせて掃除機本体上部の第２吸気用ホース接手に接続することができる。また、掃除機本体の一側において還流ホースを短いホースで接続することができる。そして、このように吸気ホースを配設することにより、ホース固定具からアタッチメントを接続する側の先端部までの吸気ホースの距離を長くすることができ、吸気ホースの自由度を高くすることができる。したがって、アタッチメントを使用したブロアーによる掃除を容易に行うことができる。
【００１１】
また、上記のように吸気ホースを引き回して配設する場合において、掃除機本体の上部に操作用ハンドルを設け、操作用ハンドルの下端部後方側に吸気ホースを引っ掛けて固定するホースフックを設け、このホースフックにより第１吸気用ホース接手とホース固定具との間に位置する吸気ホースを固定するようにしてもよい。
このようにすると、吸込体からホース固定具までの吸気ホースの上下引き回しを所定位置に容易に固定することができる。また、アタッチメント使用時には、ホースフックによる吸気ホースの固定を容易に解放することができる。また、このようにホースフックによる吸気ホースの固定を解放すると、ホース固定具から吸込体までの吸気ホースを容易に自由に動かせることができる。
【００１２】
また、集塵装置としてサイクロン式集塵装置を用いてもよい。
このようにすると、サイクロン式集塵装置の入口の高さ近傍に第２吸気用ホース接手を配置させることが容易になり、構造を簡略化することができる。
【００１３】
また、掃除機本体の上部後面側に集塵装置を設け、集塵装置の後流側となる集塵装置の下部に吸引ファンを収納し、集塵装置の前面部に排気口を設けるとともに、第１還流用ホース接手を吸引ファンの吹出側に連通するように構成してもよい。
このようにすると、排気の一部を、通風抵抗を大きくすることなく最短距離で吸込体の吸込口に還流させることができるので、送風効率が向上する。
【００１４】
また、掃除機本体の側部に、吸気ホースに接続可能に形成されたアタッチメントを装着してもよい。
このようにすると、アタッチメントの収納、取出しが容易となる。
【００１５】
【発明の実施の形態】
本発明を具体化した実施の形態に係るアップライト型電気掃除機を図１〜図１４に基づいて以下説明する。なお、図１は本発明の実施の形態に係るアップライト型電気掃除機の前方側から見た斜視図である。図２は同電気掃除機の正面図である。図３はフロントカバーを取り外した状態の正面図である。図４は同電気掃除機の右側面図である。図５は同電気掃除機の平面図である。図６は同電気掃除機の左側面図である。図７は同電気掃除機の右側断面図である。図８は図６におけるＡ−Ａ断面斜視図である。図９は図６におけるＢ−Ｂ断面図である。図１０は図６におけるＢ−Ｂ断面斜視図である。図１１は同電気掃除機の通常使用時の左側面図であって、掃除機本体を傾動させている。図１２は同電気掃除機の右側面図であって、集塵装置を取り外した状態図を示す。図１３は同電気掃除機の吸気ホースにアタッチメント取り付け、吸い込みで掃除を行うときの左側面図である。図１４は同電気掃除機の吸気ホースにアタッチメント取り付け、ブロアーを利用して掃除を行うときの左側面図である。
【００１６】
実施の形態に係るアップライト型電気掃除機は、最下部に吸込体１が設けられ、掃除機本体２が吸込体１に対して傾動可能に取り付けられている（図８参照）。また、掃除機本体２の上部には操作用ハンドル４が設けられている。なお、吸込体１の下部の前方床面側には前車輪８が取り付けられ、吸込体１の後方床面側には後車輪９が取り付けられている。
【００１７】
吸込体１は、床上の塵埃をかき上げる回転ブラシ１１、回転ブラシ１１によりかき上げられた塵埃を空気と共に吸引する吸込口１２、吸込口１２に連通する第１吸気用ホース接手１３、吸込口１２に連通する第２還流用ホース接手１４などを備えている。なお、第１吸気用ホース接手１３は掃除機本体２の右側における吸込体１の後部に設けられ、第２還流用ホース接手１４は掃除機本体２の左側における吸込体１の後部に設けられている。また、第１吸気用ホース接手１３には吸気ホース５の一端が接続され、第２還流用ホース接手１４には還流ホース６の一端が接続されている。また、吸込体１で塵埃と共に吸引された空気は吸気ホース５を介して掃除機本体２の集塵装置２１に送られる。
【００１８】
掃除機本体２は、後方上部に集塵装置２１を有し、その下方に吸込体１から空気を吸込ませるための吸引ファン２２および同ファンモータ２２ａを収納している。また、掃除機本体２の後方上部の左側面には集塵装置２１の入口側に連通する第２吸気用ホース接手２３が設けられている。
【００１９】
この第２吸気用ホース接手２３には、一端が第１吸気用ホース接手１３に接続された前述の吸気ホース５の他端が接続されている。したがって、吸込体１の吸込口１２から塵埃と共に吸引された空気はこの吸気ホース５を通して集塵装置２１に吸引されるように構成されている。
【００２０】
集塵装置２１はサイクロン集塵装置２１である。この集塵装置２１は、略円筒状容器２５を集塵器本体とし、その上部に把手２１ａを有し、掃除機本体２に対して後方側で着脱自在に取り付けられている（図１２参照）。そしてこの円筒状容器２５の中心部には上方部を開口した空気通路２６が形成されている。また、円筒状容器２５の内部の空気通路２６を取り巻く円筒状空間部２７は、中間高さ位置に形成された仕切部材２８により上部室２９と下部室３０の上下２室に区画されている。上部室２９の中央部には、この空気通路２６を取り巻くように円筒状のフィルタ３１が形成されている。また、第２吸気用ホース接手２３に連通する入口３３が内部に開口し、この入口３３から上部室２９に導入される空気は円筒状容器２５の内壁面に沿って導入され、上部室２９内で旋回流を形成するように構成されている。そして上部室２９では、この空気の旋回流により空気中に含まれている比較的大きい塵埃が除去される。除去された空気は仕切部材２８と円筒状容器壁との間から下部室３０に落下し、下部室３０内に貯留される。下部室３０に貯留された塵埃は、円筒状容器２５の底壁を開放することにより廃棄される。なお、下部室３０に貯留された塵埃を廃棄するときは、図１２のように円筒状容器２５を掃除機本体２から取り外して行う。
【００２１】
集塵装置２１の下方には、吸込体１の吸込口１２から空気を吸引するための吸引ファン２２及び同ファンモータ２２ａを収納する機械室３５が形成されている。また、掃除機本体２の集塵装置２１の前面側全体に排気通路３６が形成されており、その前面には排気フィルタ３７が配設され、さらにその前面に排気口３８が形成されている。排気フィルタ３７は、ポリウレタンフォームやＨＥＰＡフィルタなどが用いられている。排気口３８は、掃除機本体２のフロントカバー３９に大小２個のＵ字状に形成されたスリット４１、４２からなり、このスリット４１、４２から前面側方に向けて排気させるようにしたものである。フロントカバー３９は、着脱自在に取り付けられている。また、排気フィルタ３７は、フロントカバー３９を取り外した状態において着脱自在となるように取り付けられている。なお、排気通路３６、排気フィルタ３７及び排気口３８は、集塵装置２１が掃除機本体２の後部に配置されているため、集塵装置２１の干渉を受けることなく大きな面積にされている。
【００２２】
吸引ファン２２及び同ファンモータ２２ａを収納する機械室３５において、吸引ファン２２の吹出側のスペースは、集塵装置２１で塵埃が除去された排気の一部を吸込体１の吸込口１２に還流させるための第１還流用ホース接手４４に連通されている。なお、この第１還流用ホース接手４４には一端が第２還流用ホース接手１４に接続された前述の還流ホース６の他端が接続されている。したがって、機械室３５の排気の一部は、第１還流用ホース接手４４、還流ホース６、第２還流用ホース接手１４などを介して吸込体１の吸込口１２に還流されるように構成されている。
【００２３】
吸気ホース５は、上述のように、一端が吸込体１の右側後方に形成された第１吸気用ホース接手１３に取り付けられ、他端が掃除機本体２左側上部に設けられている第２吸気用ホース接手２３に接続されているが、何れの吸気用ホース接手１３、２３に対しても着脱可能に取り付けられている。一方、還流ホース６は、一端が掃除機本体２左側上部に設けられている第１還流用ホース接手４４に接続され、他端が吸込体１の左側後方に形成された第２還流用ホース接手１４に取り付けられているが、少なくとも第１還流用ホース接手４４に対しては着脱可能に取り付けられている。
【００２４】
また、吸気ホース５は、掃除機本体２の右側において、第１吸気用ホース接手１３から上方に立ち上げられ、立ち上げられた頂部が操作用ハンドル４の下端部に形成されたホースフック５１に上方から引っ掛けるように固定されている。そして、吸気ホース５は、このホースフック５１から掃除機本体２の左側に回されて下方に引き下げられ、掃除機本体２の左側下端部に設けられたホース固定具５２により強固に掃除機本体２に固定されている。さらに、この吸気ホース５は、ホース固定具５２からＵ字状に上方に立ち上げられて、第２吸気用ホース接手２３に接続されている。
【００２５】
また、還流ホース６は、第１還流用ホース接手４４と第２還流用ホース接手１４との間の距離が短いため、そのまま略直線的に接続されている。
また、吸気ホース５の第２吸気用ホース接手２３側端部と還流ホース６の第１還流用ホース接手１４側端部とは直接接続可能に構成されている。
【００２６】
このアップライト型電気掃除機に用いられるアタッチメントとしては、先細ノズル５５及び延長パイプ５６が装着されている。先細ノズル５５及び延長パイプ５６は、掃除機本体２の右側側面に差し込み式に装着されている。また、これらアタッチメントは、吸気ホース５の第１吸気用ホース接手１３側端部と接続可能に構成されている。
【００２７】
上記のように構成されたアップライト型電気掃除機において、吸込体１を使用する通常の掃除の場合における空気の流れを説明する。まず、吸込体１の吸込口１２において回転ブラシ１１によりかき上げられた塵埃を吸引するように、吸込体１の外部から空気が吸い込まれる。また、機械室３５の吸引ファン２２の吹出側から排気の一部が第１還流用ホース接手４４、還流ホース６、第２還流用ホース接手１４を通って吸込体１に還流され、かき上げた塵埃を吸引するように吸い込まれる。
【００２８】
吸込体１で吸い込まれた空気は、第１吸気用ホース接手１３、吸気ホース５、第２吸気用ホース接手２３を経て集塵装置２１に送られる。集塵装置２１に送られた空気中の比較的大きな塵埃は上部室２９（空気旋回室）で除去され、比較的小さな塵埃は円筒状フィルタ３１により除去される。塵埃が除去された空気は、集塵装置２１の空気通路２６から機械室３５に搬送される。機械室３５に搬送された空気はファンモータ２２ａを冷却した後、一部は、集塵装置２１の前面側に形成された排気通路３６、排気フィルタ３７、排気口３８を経て掃除機本体２前面側に排気される。また、ファンモータ２２ａを冷却した後の残部の空気は、還流ホース６を介し吸込体１の吸込口１２に戻される。このようにして吸込体１を使用した通常の吸い込みによる掃除が行われる。
【００２９】
次に、吸込体１を使用せずに、アタッチメントを使用した吸い込みによる掃除の場合について説明する。
この場合は、電気掃除機を運転する前に先ず吸気ホース５の第１吸気用ホース接手１３への接続を取り外す、そして、ホースフック５１による吸気ホース５の固定も取り外す、また、取り外した吸気ホース５の第１吸気用ホース接手１３側の端部に適宜のアタッチメントを取り付ける。図１３は先細ノズル５５を取り付けた状態を示す。この図に示されるように、この状態では、吸気ホース５はホース固定具５２により掃除機本体２の左側下部にしっかりと固定され、このホース固定具５２から第１吸気用ホース接手１３までの長さ分が自由に動かせる長さとなる。
【００３０】
次いで、吸引ファン２２を駆動して、掃除を必要とする狭い空間部に先細ノズル５５を運び、その場所の塵埃を空気と共に吸引する。先細ノズル５５から吸引された空気は集塵装置２１に送られる。集塵装置２１においては、比較的大きい塵埃が上部室２９で除去され、比較的小さな塵埃は円筒状フィルタ３１で除去される。塵埃が除去された空気は、機械室３５に送られる。機械室３５に送られた塵埃除去後の空気は、ファンモータ２２ａを冷却した後、一部の空気は排気通路３６、排気フィルタ３７、排気口３８を通して掃除機本体２前面側に排気され、残部の空気は第１還流用ホース接手４４、還流ホース６、第２還流用ホース接手１４を経て吸込体１の吸込口１２を介して室内に排気される。このようにしてアタッチメントを取り付けたときの吸い込みによる掃除が行われる。
【００３１】
次に、吸込体１を使用せずに、アタッチメントを使用してブロアー機能を発揮させる場合について説明する。
この場合は、電気掃除機を運転する前に先ず吸気ホース５の第１吸気用ホース接手１３及び第２吸気用ホース接手２３への接続をそれぞれ取り外す。また、ホースフック５１による吸気ホース５の固定も取り外す。さらに、還流ホース６の第１還流用ホース接手４４への接続を取り外す。そして、取り外した吸気ホース５の第１吸気用ホース接手１３側の端部に適宜のアタッチメント（例えば、先細ノズル５５）を取り付けるとともに、取り外した吸気ホース５の第２吸気用ホース接手２３側の端部を第２還流用ホース接手４４に接続する。この状態を図１４に示す。この状態では、吸気ホース５はホース固定具５２により掃除機本体２の左側下部にしっかりと固定され、このホース固定具５２から第１吸気用ホース接手１３までの長さ分が自由に動かせる長さとなる。
【００３２】
次いで、吸引ファン２２を駆動して、ブロアーを必要とする場所に先細ノズル５５を運ぶ。室内の空気はホースが接続されていない第２吸気用ホース接手２３から吸引され、吸引された空気は集塵装置２１に送られる。空気中に含まれている比較的大きい塵埃が上部室２９で除去され、比較的小さな塵埃は円筒状フィルタ３１で除去される。塵埃が除去された空気は機械室３５に送られる。そして、機械室３５に送られた塵埃除去後の空気はファンモータ２２ａを冷却した後、一部の空気は排気通路３６、排気フィルタ３７、排気口３８を通して掃除機本体２前面側に排気されるが、残部の空気は第１還流用ホース接手４４、吸気ホース５を経て先細ノズル５５から所定の場所にブロアーされる。
【００３３】
このように構成された本実施の形態に係るアップライト型電気掃除機によれば、次のような効果を奏することができる。
吸込体１の吸込口１２に連通するように吸込体１に設けられた第１吸気用ホース接手１３と、集塵装置２１の入口３３側に連通するように掃除機本体２に設けられた第２吸気用ホース接手２３との間に吸気ホース５を接続し、この吸気ホース５を第１吸気用ホース接手１３に対し着脱自在に取り付けているので、吸気ホース５を第１吸気用ホース接手１３から取り外し、この端部にアタッチメントを取り付けることにより、アタッチメントから空気と共に塵埃を吸い込む掃除が可能になる。
【００３４】
また、吸気ホース５を第１吸気用ホース接手１３及び第２吸気用ホース接手２３に対しそれぞれ着脱自在に接続し、また、掃除機本体２の機械室３５の吸引ファン２２の吹出側に連通するように掃除機本体２に設けられた第１還流用ホース接手４４と、吸込体１の吸込口１２に連通するように吸込体１に設けられた第２還流用ホース接手１４との間に還流ホース６を接続し、また、吸気ホース５の第２吸気用ホース接手２３に接続される側の端部を第１還流用ホース接手４４に接続可能に構成し、さらに、還流ホース６と第１還流用ホース接手４４との接続を着脱自在にしたので、吸気ホース５と還流ホース６とを次のように接続変更することができる。すなわち、吸気ホース５と第１吸気用ホース接手１３との接続を取り外して、この第１吸気用ホース接手１３側の端部にアタッチメントを接続し、吸気ホース５と第２吸気用ホース接手２３との接続を取り外すとともに還流ホース６と第１還流用ホース接手４４との接続を取り外して、吸気ホース５の第２吸気用ホース接手１３側の端部を第１還流用ホース接手４４に取り付けることができる。そして、このようにホースの接続変更を行うことにより、アタッチメントから除塵された空気を吹き出すブロアー機能を発揮することができる。
【００３５】
また、第２吸気用ホース接手２３の下方部の掃除機本体２に吸気ホース５の中間部を固定するホース固定具５２を取り付け、上記吸気ホース５及び還流ホース６の接続変更の際に固定具による吸気ホースの固定をそのままとしているので、アタッチメントを取り付けて行う掃除において、吸気ホース５を介して掃除機本体に作用する力は掃除機本体２の下方部に加えられることになる。したがって、掃除機を転倒させようとする回転モーメントが小さくなり、アップライト型電気掃除機の静止状態を安定させることができる。
【００３６】
また、掃除機本体２の一側において、吸込体１の後方に第１吸気用ホース接手１３を設ける一方、掃除機本体２の他側において、掃除機本体２の上方部に第２吸気用ホース接手２３を設け、掃除機本体２の下部に吸気ホース５の中間部を固定するホース固定具５２を設けているので、吸気ホース５を次ぎのように配設することができる。すなわち、第１吸気用ホース接手１３に接続された吸気ホース５を一端上方に立ち上げ、その後に掃除機本体２の反対側の側方に振って下方に引き下げ、引き下げた下方部をホース固定具５２により掃除機本体２に固定し、さらに、吸気ホース５の先端部をＵターンさせて掃除機本体２上部の第２吸気用ホース接手２３に接続することができる。したがって、掃除機本体２の後方部における左右両側のスペースを利用して。吸気ホース５を掃除機本体２後部側で体裁良く配設することができる。また、このように吸気ホース５を引き回すことにより、ホース固定具５２から吸気ホース５の第１吸気用ホース接手１３側の先端までの距離を長くすることができる。また、このようにすることにより、吸気ホース５をこのように配設することによりアタッチメントを取り付けたときに、吸気ホース５を広い範囲で使用することができ、アタッチメントを使用した掃除がし易くなる。
【００３７】
また、掃除機本体２の同一側に、第２吸気用ホース接手２３、第１還流用ホース接手４４、第２還流用ホース接手１４及びホース固定具を取り付けているので、ブロアー機能を発揮させるためのホースの接続変更作業を容易に行うことができる。また、還流ホース６を短くすることができる。
【００３８】
また、第１還流用ホース接手４４を、掃除機本体２の一側面に設けられたＬ字形接手とし、この第１還流用ホース接手４４の側面から導出される直管部分を、その管軸を中心に回動可能に構成しているので、第１還流用ホース接手４４に接続されるホースの向きを変更させることができる。したがって、吸気ホース５や還流ホース６の接続変更作業を容易に行うことができる。
【００３９】
また、このようなホース接手が使用されているので、吸込体１に対し掃除機本体２を傾動自在にしても、還流ホース６が無理に曲げられることがなくなり、還流ホース６の通風抵抗の増加を回避することができる。
【００４０】
また、操作用ハンドル４の下端部後方側に設けたホースフック５１により、第１吸気用ホース接手１３とホース固定具５２との間に位置する吸気ホース５を固定しているので、吸込体１からホース固定具５２までの吸気ホース５の引き回しを所定形状に固定することができる。また、アタッチメント使用時には、ホースフック５１による吸気ホース５の固定を容易に解放することができる。また、ホースフック５１による吸気ホース５の固定を解放することにより、ホース固定具５２から吸気ホース５の先端までを自由に動かすことができる。
【００４１】
また、集塵装置２１としてサイクロン式集塵装置を用いているので、サイクロン式集塵装置の入口３３の高さ近傍に第２吸気用ホース接手２３を配置させることができ、構造を簡略化することができる。
【００４２】
また、掃除機本体２の上部後面側に集塵装置２１を設け、集塵装置２１の後流側となる集塵装置２１の下部に吸引ファン２２を収納する機械室を設け、第１還流用ホース接手４４を機械室３５の吸引ファンの吹出側に連通するように設けると共に、第２還流用ホース接手１４を吸込体１の第１還流用ホース接手４４と同じ側の後部に設けたので、排気の一部を最短距離で吸込体１の吸込口１２に還流させることができる。したがって、この還流の空気抵抗が小さくなり送風効率が向上する。
【００４３】
また、掃除機本体２の側部に、吸気ホース５に接続可能に形成されたアタッチメントを装着したので、アタッチメントの収納、取出しが容易となる。
【００４４】
また、掃除機本体２において、集塵装置２１が後部側に配置されるとともに、排気口３８が前面側、特に集塵装置２１の前面側に配置されているため、集塵装置２１による干渉を受けることなく排気口３８の面積を大きくすることができる。また、その結果として、排気経路の空気抵抗を減少させることができ、電気掃除機の吸込性能を向上させることができる。また、排気口３８からの排気風速を小さくすることができるので、排気風により室内居住者に不快感を与えたり、排気風により室内の埃を舞い上げたりすることが少なくなる。
【００４５】
また、掃除機本体２において、排気口３８の内側で、かつ排気口３８と対向する位置に排気フィルタ３７を設けているので、排気フィルタ３７の面積を大きくすることができる。したがって、排気フィルタ３７の単位面積当たりの汚れが少なくなり、排気フィルタ３７の洗浄や交換の頻度が少なくなる。
【００４６】
また、掃除機本体２の前面に着脱自在にフロントカバー３９を取り付け、このフロントカバー３９に排気口３８を形成し、さらに、フロントカバー３９を取り外したときに前面から着脱可能となるように排気フィルタ３７を取り付けているので、排気フィルタ３７の洗浄のための取り外しや交換作業が容易になる。
【００４７】
また、集塵装置２１を掃除機本体２の上部に取り付けられた操作用ハンドル４の後側に配置し、かつ掃除機本体２に着脱可能に取り付けているので、掃除中に集塵装置２１の塵埃貯留量をチェックしたり、集塵装置２１内の塵埃を廃棄したりするのが容易になる。
【００４８】
なお、本発明は、吸い込み式の掃除以外にブロアー機能付加させたアップライト型電気掃除機を提供するものであって、上記実施の形態に記載されたアップライト型電気掃除機に限定されるものではない。
例えば、上記実施の形態に係るアップライト型電気掃除機では、集塵装置２１が掃除機本体２の後部側に配置され、排気口３８が掃除機本体２の前面側に配置されているが、集塵装置の下方に排気口を有するアップライト型電気掃除機に具体化することもできる。
【００４９】
【発明の効果】
本発明は、以上のように、吸気ホースを第１吸気用ホース接手及び第２吸気用ホース接手に対しそれぞれ着脱自在に接続し、また、掃除機本体の吸引ファンの吹出し側に連通するように掃除機本体に設けられた第１還流用ホース接手と、吸込体の吸込口に連通するように吸込体に設けられた第２還流用ホース接手との間に還流ホースを接続し、また、吸気ホースの第２吸気用ホース接手に接続される側の端部を第１還流用ホース接手に接続可能に構成し、さらに、還流ホースと第１還流用ホース接手との接続を着脱自在にしたので、吸気ホースと還流ホースとを次のように接続変更することができる。すなわち、吸気ホースと第１吸気用ホース接手との接続を取り外して、この第１吸気用ホース接手側の端部にアタッチメントを接続し、吸気ホースと第２吸気用ホース接手との接続を取り外すとともに還流ホースと第１還流用ホース接手との接続を取り外して、吸気ホースの第２吸気用ホース接手側の端部を第１還流用ホース接手に取り付けることができる。そして、このようにホースの接続変更を行うことにより、アタッチメントから除塵された空気を吹き出すブロアー機能を発揮することができる。
また、還流ホースを第１還流用ホース接手及び第２還流用ホース接手に取り付けたままとし、吸気ホースを第１吸気用ホース接手から取り外し、この端部にアタッチメントを取り付けると、アタッチメントから空気とともに塵埃を吸い込む掃除が可能になる。
【図面の簡単な説明】
【図１】本発明の実施の形態に係るアップライト型電気掃除機の前方側から見た斜視図である。
【図２】同電気掃除機の正面図である。
【図３】フロントカバーを取り外した状態の正面図である。
【図４】同電気掃除機の右側面図である。
【図５】同電気掃除機の平面図である。
【図６】同電気掃除機の左側面図である。
【図７】同電気掃除機の右側断面図である。
【図８】図６におけるＡ−Ａ断面斜視図である。
【図９】図６におけるＢ−Ｂ断面図である。
【図１０】図６におけるＢ−Ｂ断面斜視図である。
【図１１】同電気掃除機の使用時の左側面図であって、掃除機本体を傾動させている。
【図１２】同電気掃除機の右側断面図であって、集塵装置を取り外した状態図を示す。
【図１３】同電気掃除機の左側面図であって、吸気ホースにアタッチメント取り付けて吸い込みによる掃除を行う場合の状態図である。
【図１４】同電気掃除機の左側面図であって、吸気ホースにアタッチメント取り付けてブロアーによる掃除を行う場合の状態図である。
【符号の説明】
１  吸込体
２  掃除機本体
５  吸気ホース
６  還流ホース
１１  回転ブラシ
１２  吸込口
１３  第１吸気用ホース接手
１４  第２還流用ホース接手
２１  集塵装置
２２  吸引ファン
２２ａ  ファンモータ
２３  第２吸気用ホース接手
３５  機械室
３６  排気通路
３７  排気フィルタ
３８  排気口
３９  フロントカバー
４１  スリット
４２  スリット
４４  第１還流用ホース接手
５１  ホースフック
５２  ホース固定具
５５  先細ノズル
５６  延長パイプ
【図１】
2005006682.tif 000003
【図２】
2005006682.tif 000004
【図３】
2005006682.tif 000005
【図４】
2005006682.tif 000006
【図５】
2005006682.tif 000007
【図６】
2005006682.tif 000008
【図７】
2005006682.tif 000009
【図８】
2005006682.tif 000010
【図９】
2005006682.tif 000011
【図１０】
2005006682.tif 000012
【図１１】
2005006682.tif 000013
【図１２】
2005006682.tif 000014
【図１３】
2005006682.tif 000015
【図１４】
2005006682.tif 000016